(57)【要約】【課題】種々のスキンケア製品から、ユーザの現在の肌の状態に最も適した製品を見つける方法を提供する。【解決手段】スキンケア製品適合方法及び適合用の電子装置を提供する。この方法は次のステップを含む：捕捉装置を用いることによって現ユーザの肌の画像を捕捉し、肌の画像を分析して肌の関心事を特定するステップ；現ユーザの肌質を取得するステップ；及び、少なくとも肌の関心事及び肌質に応じて、製品データベース内に記憶された複数のスキンケア製品を選別して、現ユーザの肌の状態に適合する製品情報を提供するステップ。【選択図】図２
2018160230.tif 000002
【特許請求の範囲】
【請求項１】
画像捕捉装置を具えた電子装置用のスキンケア製品適合方法であって、
前記画像捕捉装置を用いることによって現ユーザの肌の画像を捕捉し、該肌の画像を分析して肌の関心事を特定するステップと、
前記現ユーザの肌質を取得するステップと、
少なくとも前記肌の関心事及び前記肌質に応じて、製品データベース内に記憶された複数のスキンケア製品を選別して、前記現ユーザの肌の状態に適合する製品情報を提供するステップと
を含む、スキンケア製品適合方法。
【請求項２】
前記現ユーザが複数の製品の好みから選択する操作を受け付けて、前記現ユーザの製品の好みを特定するステップと、
前記現ユーザの生活情報を受けて、前記現ユーザの生活プロファイルを特定するステップと、
前記肌の関心事、前記肌質、前記製品の好み、及び前記生活プロファイルに応じて前記スキンケア製品を選別して、前記現ユーザの肌の状態に適合する製品情報を提供するステップと
をさらに含む、請求項１に記載のスキンケア製品適合方法。
【請求項３】
前記肌の関心事、前記肌質、前記製品の好み、及び前記生活プロファイルに応じて前記スキンケア製品を選別して、前記現ユーザの肌の状態に適合する製品情報を提供するステップが、
前記肌の関心事、前記肌質、前記製品の好み、及び前記生活プロファイルを同時に満足する複数のスキンケア製品を、前記スキンケア製品から第１グループとして選択して、該第１グループ内のスキンケア製品を選別するサブステップと、
前記肌の関心事、前記肌質、及び前記製品の好みだけを満足する複数のスキンケア製品を、前記スキンケア製品から第２グループとして選択して、該第２グループ内のスキンケア製品を選別するサブステップと、
前記肌の関心事、前記肌質、及び前記生活プロファイルだけを満足する複数のスキンケア製品を、前記スキンケア製品から第３グループとして選択して、該第３グループ内のスキンケア製品を選別するサブステップと、
前記肌の関心事及び前記肌質だけを満足する複数のスキンケア製品を、前記スキンケア製品から第４グループとして選択して、該第４グループ内のスキンケア製品を選別するステップと、
前記選別したスキンケア製品を、前記第１グループ、前記第２グループ、前記第３グループ、及び前記第４グループの順に、前記現ユーザの肌の状態に適合する製品情報として提供するサブステップと
を含む、請求項２に記載のスキンケア製品適合方法。
【請求項４】
前記現ユーザの生活情報を受けて前記現ユーザの生活プロファイルを特定するステップが、
前記現ユーザの生活習慣に関する複数の選択肢を提供するサブステップであって、該選択肢の各々が、複数の前記肌の関心事のうちの少なくとも１つに対応するサブステップと、
前記現ユーザが前記選択肢から選択する操作を受け付けて、前記現ユーザが前記生活プロファイルとして選択した前記選択肢が、前記肌の関心事の各々に対応する回数を計算するサブステップであって、前記スキンケア製品を選別する際に、前記肌の関心事の各々に対応する回数を用いて、当該肌の関心事に合った前記スキンケア製品に重み付けするサブステップと
を含む、請求項２または３に記載のスキンケア製品適合方法。
【請求項５】
前記肌の画像を分析して前記肌の関心事を特定するステップが、
前記肌の画像中の複数の赤い斑点を認識して、前記肌の画像に対する前記斑点の比率を計算するサブステップと、
前記比率を上限値及び下限値と比較して、複数の予期される肌の目標のうちの１つを前記現ユーザの予期される肌の目標として選択するサブステップであって、前記予期される肌の目標が、健全さ、透明感、張り、肌触り、及び明るさを含むサブステップと、
前記比率が前記上限値よりも大きい場合、医者の診察を受けることを前記現ユーザに促すサブステップと、
前記比率が前記上限値と前記下限値との間である場合、前記現ユーザの予期される肌の目標として健全さを選択するサブステップと、
前記比率が前記下限値よりも小さい場合、前記予期される肌の目標の各々について前記肌の画像の得点を計算して、前記予期される肌の目標のうち最低の得点を有するものを前記現ユーザの予期される肌の目標として選択するサブステップとを含み、
前記現ユーザの肌の目標として健全さが選択された際に、前記肌の画像を分析して前記肌の関心事を特定するステップが、
前記赤い斑点が痛み及び痒みを生じさせるか否かを判定するサブステップと、
前記赤い斑点が痛み及び痒みを生じさせる場合、前記上限値と前記下限値との間の中央値を得て、前記比率を前記上限値、前記下限値、及び前記中央値と比較するサブステップと、
前記比率が前記上限値と前記中央値との間である場合、前記赤い斑点を前記肌の関心事として特定するサブステップと、
前記比率が前記中央値と前記下限値との間である場合、前記赤い斑点及び治療を前記肌の関心事として特定するサブステップと
をさらに含む、請求項２〜４のいずれかに記載のスキンケア製品適合方法。
【請求項６】
前記肌の画像を分析して前記肌の関心事を特定するステップの前に、
前記現ユーザが複数の予期される肌の目標から選択する操作を受け付けて、前記選択された予期される肌の目標に応じて前記肌の関心事を特定するステップを含み、前記予期される肌の目標は、健全さ、透明感、張り、肌触り、及び明るさを含む、請求項１に記載のスキンケア製品適合方法。
【請求項７】
前記現ユーザの予期される肌の目標として張りが選択された際に、前記肌の画像を分析して前記肌の関心事を特定するステップが、
前記現ユーザの肌質を取得するサブステップと、
前記取得した肌質が皮脂型または複合型である場合、皮脂の調整を前記肌の関心事として特定するサブステップと、
前記取得した肌質が乾燥型または通常型である場合、毛穴の引き締めを前記肌の関心事として特定するサブステップと
を含む、請求項６に記載のスキンケア製品適合方法。
【請求項８】
前記現ユーザの予期される肌の目標として肌触りが選択された際に、前記肌の画像を分析して前記肌の関心事を特定するステップが、
前記肌の画像中のシワ、小ジワ、及び毛穴を認識し、前記肌の画像に対する前記シワ、前記小ジワ、及び前記毛穴の総面積の比率を計算して、該比率を上限値及び下限値と比較するサブステップと、
前記比率が前記下限値よりも小さい場合、前記現ユーザが肌の張りを気にしているか否かを判定し、前記現ユーザが肌の張りを気にしている場合には、肌の引き締め及びシワ取りを前記肌の関心事として特定し、前記現ユーザが肌の張りを気にしていない場合には、老化防止及びシワ取りを前記肌の関心事として特定するサブステップと、
前記比率が前記上限値よりも大きい場合、老化防止及びシワ取りを前記肌の関心事として特定するサブステップと
を含む、請求項６に記載のスキンケア製品適合方法。
【請求項９】
前記現ユーザの予期される肌の目標として明るさが選択された際に、前記肌の画像を分析して前記肌の関心事を特定するステップが、
前記肌の画像中の左頬ゾーンのグレースケール値と右頬ゾーンのグレースケール値との差が事前設定値以上であるか否かを判定するサブステップと、
前記差が前記事前設定値以上である場合、前記現ユーザが部分的にムラのある肌の色合いを気にしているか否かを判定して、前記現ユーザが部分的にムラのある肌の色合いを気にしている場合には、ムラのある肌の色合いを前記肌の関心事として特定し、前記現ユーザが部分的にムラのある肌の色合いを気にしていない場合には、美白を前記肌の関心事として特定するサブステップと、
前記差が前記事前設定値未満である場合、保湿を前記肌の関心事として特定するサブステップと
を含む、請求項６に記載のスキンケア製品適合方法。
【請求項１０】
現ユーザの肌の画像を捕捉する画像捕捉装置と、
複数のモジュールを記憶する記憶装置と、
前記画像捕捉装置及び前記記憶装置に結合され、前記記憶装置に記憶された前記モジュールにアクセスして当該モジュールを実行するプロセッサとを具え、前記モジュールが、
前記肌の画像を分析して肌の関心事を特定する、肌の関心事を特定するモジュールと、
前記現ユーザの肌質を取得する、肌質を取得するモジュールと、
少なくとも前記肌の関心事及び前記肌質に応じて、製品データベース内に記憶された複数のスキンケア製品を選別して、前記現ユーザの肌の状態に適合する製品情報を提供する、製品情報を提供するモジュールと
を含む、電子装置。
【請求項１１】
前記モジュールが、
前記現ユーザが複数の製品の好みから選択する操作を受け付けて、前記現ユーザの製品の好みを特定する、製品の好みを特定するモジュールと、
前記現ユーザの生活情報を受けて前記現ユーザの生活プロファイルを特定する、生活プロファイルを特定するモジュールとをさらに含み、
前記製品情報を提供するモジュールは、前記肌の関心事、前記肌質、前記製品の好み、及び前記生活プロファイルに応じて、前記スキンケア製品を選別して、前記現ユーザの肌の状態に適合する製品情報を提供する、請求項１０に記載の電子装置。
【請求項１２】
前記製品情報を提供するモジュールが、
前記肌の関心事、前記肌質、前記製品の好み、及び前記生活プロファイルを同時に満足する複数のスキンケア製品を、前記スキンケア製品から第１グループとして選択して、該第１グループ内のスキンケア製品を選別するステップと、
前記肌の関心事、前記肌質、及び前記製品の好みだけを満足する複数のスキンケア製品を、前記スキンケア製品から第２グループとして選択して、該第２グループ内のスキンケア製品を選別するステップと、
前記肌の関心事、前記肌質、及び前記生活プロファイルだけを満足する複数のスキンケア製品を、前記スキンケア製品から第３グループとして選択して、該第３グループ内のスキンケア製品を選別するステップと、
前記肌の関心事及び前記肌質だけを満足する複数のスキンケア製品を、前記スキンケア製品から第４グループとして選択して、該第４グループ内のスキンケア製品を選別するステップと、
前記第１グループ、前記第２グループ、前記第３グループ、及び前記第４グループの順に、前記現ユーザの肌の状態に適合する製品情報として提供するステップと
を含む、請求項１１に記載の電子装置。
【請求項１３】
前記生活プロファイルを特定するモジュールが、
前記現ユーザの生活習慣に関する複数の選択肢を提供するステップであって、該選択肢の各々が、複数の前記肌の関心事のうちの少なくとも１つに対応するステップと、
前記現ユーザが前記選択肢から選択する操作を受け付けて、前記現ユーザが前記生活プロファイルとして選択した前記選択肢が、前記肌の関心事の各々に対応する回数を計算するステップであって、前記スキンケア製品を選別する際に、前記肌の関心事の各々に対応する回数を用いて、当該肌の関心事に合った前記スキンケア製品に重み付けするステップと
を含む、請求項１１に記載の電子装置。
【請求項１４】
前記肌の関心事を特定するモジュールが、さらに、赤い斑点が痛み及び痒みを生じさせるか否かを判定し、
前記赤い斑点が痛み及び痒みを生じさせる場合、上限値と下限値との間の中央値を得て、前記肌の画像に対する前記赤い斑点の比率を、前記上限値、前記下限値、及び前記中央値と比較し、
前記比率が前記上限値と前記中央値との間である場合、前記赤い斑点を前記皮膚の関心事として特定し、
前記比率が前記中央値と前記下限値との間である場合、前記赤い斑点及び治療を前記肌の関心事として特定する、
請求項１２または１３に記載の電子装置。
【請求項１５】
前記モジュールが、
予期される肌の目標を選択するモジュールをさらに含み、該予期される肌の目標を選択するモジュールは、前記現ユーザが複数の予期される肌の目標から選択する操作を受け付けて、前記選択した予期される肌の目標に応じて前記肌の関心事を特定し、前記予期される肌の目標は、健全さ、透明感、張り、肌触り、及び明るさを含む、請求項１０に記載の電子装置。
【発明の詳細な説明】
【技術分野】
【０００１】
発明の分野
本発明は肌の検出技術に関するものであり、特にスキンケア（肌の手入れ）製品の適合方法及び適合用の電子装置に関するものである。
【背景技術】
【０００２】
関連技術の説明
従来の肌の検出は、通常、業務用の皮膚分析装置を導入して、人間の肌を走査して肌の状態を取得している。サービス提供者の販売員は、肌の状態に応じた相応なスキンケア製品を、製品の販売促進のために薦めることもできる。しかし、皮膚分析装置は、通常、高価かつ極めて大型であるので、ユーザがこうした皮膚分析装置を所有することは困難である。一方、皮膚分析装置は、肌を走査するための様々な倍率を有する顕微鏡を装備し、従って、各回に肌の小さい部分しか走査することができず、このことは動作のために長時間を要する。さらに、ユーザは、皮膚分析装置を用いることによって肌の状態を判定するために十分に訓練されなければならない。従って、自身の肌の状態を知って、スキンケア製品によって自身の肌が実際に改善されたか否かを判定したいユーザにとって、皮膚分析装置はユーザの実際の要求を満足しないことがある。
【０００３】
一方、スキンケアを効率的かつ時間を節約する方法で行うことを期待するユーザの大部分は、肌を手入れして肌の状態を改善する方法、こうしたスキンケアのために要する時間、使用すべきスキンケア製品、等に関するケア（手入れ）情報を学習したい。しかし、各人が異なる肌の状態、成長環境、及びダイエットの習慣を有するので、スキンケア製品が適切であるか否かを各人が相応な方法により効果的に確かめることは困難である。
【発明の概要】
【発明が解決しようとする課題】
【０００４】
技術課題
様々なスキンケア製品からユーザの現在の肌の状態に最も適した製品を見つけることは、ユーザがスキンケア製品を選定する際に最も欲しい情報の１つになっている。
【課題を解決するための手段】
【０００５】
課題の解決策
本発明は、スキンケア製品の適合方法及び適合用の装置を提供し、これらの方法及び装置は、ユーザの肌の状態を検出し、肌質、製品の好み、生活プロファイル（形態）、等のようなユーザの情報を参照することによって、ユーザの現在の肌の状態に適合する製品情報を提供することができる。
【０００６】
本発明のスキンケア製品適合方法は、画像捕捉装置を含む電子装置に適用可能である。この方法は：画像捕捉装置を用いることによって現ユーザの肌の画像を捕捉し、肌の画像を分析して肌の関心事を特定するステップと；現ユーザの肌質を取得するステップと；少なくとも肌の関心事及び肌質に応じて、製品データベース内に記憶された複数のスキンケア製品を選別して、現ユーザの肌の状態に適合する製品情報を提供するステップとを含む。
【０００７】
本発明の好適例では、上記方法が、現ユーザが複数の製品の好みから選択する操作を受け付けて、現ユーザの製品の好みを特定するステップと；現ユーザの生活情報を受けて現ユーザの生活プロファイルを特定するステップと；肌の関心事、肌質、製品の好み、及び生活プロファイルに応じてスキンケア製品を選別して、現ユーザの肌の状態に適合する製品情報を提供するステップとをさらに含む。
【０００８】
本発明の好適例では、肌の関心事、肌質、製品の好み、及び生活プロファイルに応じてスキンケア製品を選別して、現ユーザの肌の状態に適合する製品情報を提供するステップが、肌の関心事、肌質、製品の好み、及び生活プロファイルを同時に満足する複数のスキンケア製品を、上記スキンケア製品から第１グループとして選択して、第１グループ内のスキンケア製品を選別するサブステップと；肌の関心事、肌質、及び製品の好みだけを満足する複数のスキンケア製品を、上記スキンケア製品から第２グループとして選択して、第２グループ内のスキンケア製品を選別するサブステップと；肌の関心事、肌質、及び生活プロファイルだけを満足する複数のスキンケア製品を、上記スキンケア製品から第３グループとして選択して、第３グループ内のスキンケア製品を選別するサブステップと；肌の関心事及び肌質だけを満足する複数のスキンケア製品を、上記スキンケア製品から第４グループとして選択して、第４グループ内のスキンケア製品を選別するサブステップと；選別したスキンケア製品を、第１グループ、第２グループ、第３グループ、及び第４グループの順に、現ユーザの肌の状態に適合する製品情報として提供するサブステップとを含む。
【０００９】
本発明の好適例では、現ユーザの生活情報を受けて現ユーザの生活プロファイルを特定するステップが、現ユーザの生活習慣に関する複数の選択肢を提供するサブステップであって、選択肢の各々が複数の肌の関心事のうちの少なくとも１つに対応するサブステップと；現ユーザが選択肢から選択する操作を受け付けて、現ユーザが生活プロファイルとして選択した選択肢が、肌の関心事の各々に対応する回数を計算するサブステップであって、スキンケア製品を選別する際に、肌の関心事の各々に対応する回数を用いて、当該肌の関心事に合ったスキンケア製品に重み付けするサブステップとを含む。
【００１０】
本発明の好適例では、肌の画像を分析して肌の関心事を特定するステップが、肌の画像中の複数の赤い斑点（紅斑）を認識して、肌の画像に対する赤い斑点の比率を計算するサブステップと；この比率を上限値及び下限値と比較して、複数の予期される肌の目標のうちの１つを現ユーザの予期される肌の目標として選択するサブステップであって、予期される肌の目標が、健全さ、透明感、張り、肌触り、及び明るさを含むサブステップと；上記比率が上限値よりも大きい場合、医者の診察を受けることを現ユーザに促すサブステップと；この比率が上限値と下限値との間である場合、健全さを現ユーザの肌の目標として選択するサブステップと；上記比率が下限値よりも小さい場合、上記予期される肌の目標の各々について肌の画像の得点を計算して、予期される肌の目標のうち最低の得点を有するものを現ユーザの予期される肌の目標として選択するサブステップとを含む。
【００１１】
本発明の好適例では、現ユーザの予期される肌の目標として健全さが選択された際に、肌の画像を分析して肌の関心事を特定するステップが、上記赤い斑点が痛み及び痒みを生じさせるか否かを判定するサブステップと；赤い斑点が痛み及び痒みを生じさせる場合、上記上限値と上記下限値との間の中央値を得て、上記比率を上限値、下限値、及び中央値と比較するサブステップと；上記比率が上限値と中央値との間である場合、赤い斑点を肌の関心事として判定するサブステップと；上記比率が中央値と下限値との間である場合、赤い斑点及び治療を肌の関心事として特定するサブステップとをさらに含む。
【００１２】
本発明の好適例では、現ユーザの予期される肌の目標として健全さが選択された際に、肌の画像を分析して肌の関心事を特定するステップが：上記赤い斑点の比率が下限値よりも小さいか、上記赤い斑点が痛み及び痒みを生じさせないものと判定された場合に、赤い斑点の数量を計算して、この数量を事前設定量と比較するサブステップと；この数量が事前設定量未満である場合、赤い斑点が痛みを生じさせるか否かを判定して、赤い斑点が痛みを生じさせる場合には抗ニキビ剤を肌の関心事として特定し、赤い斑点が痛みを生じさせない場合には保湿を肌の関心事として特定するサブステップと；この数量が事前設定量以上である場合、赤い斑点が痛み及び痒みを生じさせるか否かを判定して、赤い斑点が痛み及び痒みを生じさせる場合には、医者の診察を受けることを現ユーザに促し、赤い斑点が痛み及び痒みを生じさせない場合には、抗ニキビ剤を肌の関心事として特定するサブステップとをさらに含む。
【００１３】
本発明の好適例では、上記方法が、肌の画像を分析して肌の関心事を特定するステップの前に、現ユーザが複数の予期される肌の目標から選択する操作を受け付けて、選択された予期される肌の目標に応じて肌の関心事を特定するステップをさらに含み、予期される肌の目標は、健全さ、透明感、張り、肌触り、及び明るさである。
【００１４】
本発明の好適例では、現ユーザの予期される肌の目標として透明感が選択された際に、肌の画像を分析して肌の関心事を特定するステップが、肌の画像中の複数のダークスポット（しみ、色素沈着）を認識して、肌の画像に対するダークスポットの比率を計算して、この比率を上限値及び下限値と比較するサブステップと；この比率が上限値よりも大きい場合、医者の診察を受けることを現ユーザに促すサブステップと；この比率が上限値と下限値との間である場合、ダークスポット及び美白（ホワイトニング）を肌の関心事として特定するサブステップと；この比率が下限値よりも小さい場合、保湿を肌の関心事として特定するサブステップとを含む。
【００１５】
本発明の好適例では、現ユーザの予期される肌の目標として透明感が選択された際に、肌の画像を分析して肌の関心事を特定するステップが、肌の画像中の頬のゾーンのグレースケール値と目の下のゾーンのグレースケール値との差が事前設定値以上であるか否かを判定するサブステップと；この差が事前設定値以上である場合、医者の診察を受けることを現ユーザに促すサブステップと；この差が事前設定値未満である場合、目の下のクマを肌の関心事として判定するサブステップとを含む。
【００１６】
本発明の好適例では、現ユーザの予期される肌の目標として張りが選択された際に、肌の画像を分析して肌の関心事を特定するステップが、現ユーザの肌質を取得するサブステップと；取得した肌質が皮脂型または複合型である場合、皮脂の調整を肌の関心事として特定し、取得した肌質が乾燥型または通常型である場合、毛穴の引き締めを肌の関心事として特定するサブステップとを含む。
【００１７】
本発明の好適例では、現ユーザの予期される肌の目標として肌触りが選択された際に、肌の画像を分析して肌の関心事を特定するステップが、肌の画像中のシワ、小ジワ、及び毛穴を認識して、肌の画像中のシワ、小ジワ、及び毛穴の総面積の比率を計算して、この比率を上限値及び下限値と比較するサブステップと；この比率が下限値よりも小さい場合、現ユーザの年齢が事前設定年齢以上であるか否かを判定して、年齢が事前設定年齢以上である場合には、皮膚の張りを肌の関心事として特定し、年齢が事前設定年齢未満である場合には、保湿を肌の関心事として特定するステップと、上記比率が上限値と下限値との間である場合、現ユーザが皮膚の張りを気にしているか否かを判定して、現ユーザが気にしている場合には、肌の引き締め及びシワ取りを肌の関心事として特定し、現ユーザが気にしていない場合には、老化防止（アンチエイジング）及びシワ取りを肌の関心事として特定するステップと；上記比率が上限値よりも大きい場合、老化防止及びシワ取りを肌の関心事として特定するステップとを含む。
【００１８】
本発明の好適例では、現ユーザの予期される肌の目標として肌触りが選択された際に、肌の画像を分析して肌の関心事を特定するステップが、肌の画像中の左頬ゾーンのグレースケール値と右頬ゾーンのグレースケール値との差が事前設定値以上であるか否かを判定するサブステップと；この差が事前設定値以上である場合、現ユーザが部分的にムラのある肌の色合いを気にしているか否かを判定して、現ユーザが気にしている場合には、ムラのある肌の色合いを肌の関心事として特定し、現ユーザが気にしていない場合には、美白を肌の関心事として特定するステップと；上記差が事前設定値未満である場合、保湿を肌の関心事として特定するステップとを含む。
【００１９】
本発明の電子装置は、画像捕捉装置、記憶装置、及びプロセッサを含む。画像捕捉装置は、現ユーザの肌の画像を捕捉するように構成されている。記憶装置は、複数のモジュールを記憶するように構成されている。プロセッサは、画像捕捉装置及び記憶装置に結合され、記憶装置に記憶されたモジュールにアクセスして、これらのモジュールを実行するように構成されている。上記モジュールは、肌の関心事を特定するモジュール、肌質を取得するモジュール、及び製品情報を提供するモジュールを含む。肌の関心事を特定するモジュールは、肌の画像を分析して肌の関心事を特定するように構成されている。肌質を取得するモジュールは、現ユーザの肌質を取得するように構成されている。製品情報を提供するモジュールは、製品データベース内に記憶されている複数のスキンケア製品を、少なくとも肌の関心事及び肌質に応じて選別して、現ユーザの肌の状態に適合する製品情報を提供するように構成されている。
【００２０】
本発明の好適例では、上記モジュールが、製品の好みを特定するモジュール及び生活プロファイルを特定するモジュールをさらに含む。製品の好みを特定するモジュールは、現ユーザが複数の製品の好みから選択する操作を受け付けて現ユーザの製品の好みを特定するように構成されている。生活プロファイルを特定するモジュールは、現ユーザの生活情報を受けて現ユーザの生活プロファイルを特定するように構成されている。製品情報を提供するモジュールは、肌の関心事、肌質、製品の好み、及び生活プロファイルに応じてスキンケア製品を選別して、現ユーザの肌の状態に適合する製品情報を提供するように構成されている。
【００２１】
本発明の好適例では、製品情報を提供するモジュールが、肌の関心事、肌質、製品の好み、及び生活プロファイルを同時に満足する複数のスキンケア製品を、上記スキンケア製品から第１グループとして選択して、第１グループ内のスキンケア製品を選別するステップと；肌の関心事、肌質、及び製品の好みだけを満足する複数のスキンケア製品を、上記スキンケア製品から第２グループとして選択して、第２グループ内のスキンケア製品を選別するステップと；肌の関心事、肌質、及び生活プロファイルだけを満足する複数のスキンケア製品を、上記スキンケア製品から第３グループとして選択して、第３グループ内のスキンケア製品を選別するステップと；肌の関心事及び肌質だけを満足する複数のスキンケア製品を、上記スキンケア製品から第４グループとして選択して、第４グループ内のスキンケア製品を選別するステップと；選別したスキンケア製品を、第１グループ、第２グループ、第３グループ、及び第４グループの順に、現ユーザの肌の状態に適合する製品情報として提供するステップとを含む。
【００２２】
本発明の好適例では、生活プロファイルを特定するモジュールが、現ユーザの生活習慣に関する複数の選択肢を提供するステップであって、選択肢の各々が、複数の肌の関心事のうちの少なくとも１つに対応するステップと；現ユーザが選択肢から選択する操作を受け付けて、現ユーザが生活プロファイルとして選択した選択肢が、肌の関心事の各々に対応する回数を計算するステップであって、スキンケア製品を選別する際に、肌の関心事の各々に対応する回数を用いて、当該肌の関心事に合ったスキンケア製品に重み付けするステップとを含む。
【００２３】
本発明の好適例では、上記モジュールが、肌の状態を検出するモジュールをさらに含み、肌の状態を検出するモジュールは、肌の画像中の複数の赤い斑点を認識して、肌の画像に対する赤い斑点の比率を計算するステップと；この比率を上限値及び下限値と比較して、複数の予期される肌の目標のうちの１つを現ユーザの予期される肌の目標として選択するステップであって、予期される肌の目標が、健全さ、透明感、張り、肌触り、及び明るさを含むステップとをさらに含む。上記比率が上限値よりも大きい場合、医者の診察を受けることを現ユーザに促す。この比率が上限値と下限値との間である場合、健全さを現ユーザの肌の目標として選択する。上記比率が下限値よりも小さい場合、上記予期される肌の目標の各々について肌の画像の得点を計算して、予期される肌の目標のうち最低の得点を有するものを現ユーザの予期される肌の目標として選択する。
【００２４】
本発明の好適例では、肌の関心事を特定するモジュールが、さらに、上記赤い斑点が痛み及び痒みを生じさせるか否かを判定する。赤い斑点が痛み及び痒みを生じさせる場合、上記上限値と上記下限値との間の中央値を得て、上記比率を上限値、下限値、及び中央値と比較する。上記比率が上限値と中央値との間である場合、赤い斑点を肌の関心事として特定する。上記比率が中央値と下限値との間である場合、赤い斑点及び治療を肌の関心事として特定する。
【００２５】
本発明の好適例では、上記モジュールが、予期される肌の目標を選択するモジュールをさらに含み、予期される肌の目標を選択するモジュールは、現ユーザが複数の予期される肌の目標から選択する操作を受け付けて、選択された予期される肌の目標に応じて肌の関心事を特定するように構成され、予期される肌の目標は、健全さ、透明感、張り、肌触り、及び明るさである。
【発明の効果】
【００２６】
以上に基づいて、本発明の好適例のスキンケア製品適合方法及び適合用装置では、上記電子装置の画像捕捉装置が、ユーザの肌を検出してユーザの情報を取得するように構成され、この情報は、肌質、製品の好み、生活プロファイル、等を含む。最後に、こうした情報を集積してスキンケア製品を選別して、ユーザの肌の状態に適合する製品情報を提供する。
【００２７】
本発明の以上及び他の特徴及び利点をより理解し易くするために、図面を添付したいくつかの実施形態を以下により詳細に説明する。
【００２８】
添付した図面は、本発明のさらなる理解をもたらすために本明細書中に含め、本明細書の一部を構成する。
【図面の簡単な説明】
【００２９】
【図１】本発明の一実施形態による電子装置を例示する概略図である。
【図２】本発明の一実施形態によるスキンケア製品適合方法を例示するフローチャートである。
【図３】本発明の一実施形態によるスキンケア製品適合方法を例示するフローチャートである。
【図４】本発明の一実施形態による、肌の状態を検出する方法を例示するフローチャートである。
【図５】本発明の一実施形態による、予期される肌の目標として健全さが選択された際の、肌の関心事を特定するプロセスを例示する図である。
【図６】本発明の一実施形態による、予期される肌の目標として透明感が選択された際の、肌の関心事を特定するプロセスを例示する図である。
【図７】本発明の一実施形態による、予期される肌の目標として張りが選択された際の、肌の関心事を特定するプロセスを例示する図である。
【図８】本発明の一実施形態による、予期される肌の目標として肌触りが選択された際の、肌の関心事を特定するプロセスを例示する図である。
【図９】本発明の一実施形態による、予期される肌の目標として明るさが選択された際の、肌の関心事を特定するプロセスを例示する図である。
【発明を実施するための形態】
【００３０】
図１は、本発明の一実施形態による電子装置を例示する概略図である。図１を参照すれば、本実施形態の電子装置１００は、画像捕捉装置１１０、プロセッサ１２０、入力装置１３０、及び記憶装置１４０を含む。プロセッサ１２０は、画像捕捉装置１１０、入力装置１３０、及び記憶装置１４０に結合されている。本発明の本実施形態の電子装置１００は、化粧台の鏡の上に配置して、ユーザが鏡を見る間にユーザの肌の画像を捕捉して、鏡の背後に配置されたディスプレイ（図示せず）を用いることによって、ユーザの肌の状態に適合する製品情報を提供することができる。なお、他の実施形態では、電子装置１００は、電子製品、例えばスマートホン（携帯電話）、タブレット型コンピュータまたはデスクトップ・コンピュータ、あるいは携帯用の鏡と組み合わせた携帯用鏡箱（ミラーケース）とすることもできる。
【００３１】
画像捕捉装置１１０は、電荷結語素子（ＣＣＤ：charge coupled device）、相補型金属酸化物半導体（ＣＭＯＳ：complementary metal-oxide semiconductor）デバイス、または他のあらゆる種類の感光デバイスを装備したカメラとすることができ、現ユーザの肌の画像、特に顔の肌の画像を捕捉するように構成されている。
【００３２】
プロセッサ１２０は、中央演算装置（ＣＰＵ：central processing unit）、マイクロプロセッサ、デジタル・シグナル・プロセッサ（デジタル信号処理装置）、プログラマブル・コントローラ、特定用途向け集積回路（ＡＳＩＣ：application specific integrated circuit）、プログラマブル・ロジック・デバイス（ＰＬＤ：programmable logic device：プログラム可能論理回路）、またはデータ計算能力を有する他のあらゆる種類のデバイスとすることができる。
【００３３】
入力装置１３０は、マウス、キーボード、ジョイスティック、またはタッチパネルのような、ユーザの操作を受け付けることができる装置である。入力装置１３０は、抵抗式、容量式、光学式、または他のあらゆる種類のタッチ検出装置とすることもでき、ユーザのタッチ操作を受け付けるためのタッチスクリーンとして電子装置１００のディスプレイと統合することができる。タッチスクリーンのガラスを鏡面材料製にして、鏡面効果を持たせることができる。
【００３４】
記憶装置１４０は、固定または可動のあらゆるランダムアクセスメモリ（ＲＡＭ：random access memory）、読出し専用メモリ（ＲＯＭ：read only memory）、フラッシュメモリ、または同様な素子、あるいは上記の素子の組合せとすることができる。本実施形態では、記憶装置１４０は、肌の関心事を特定するモジュール１４１、肌質を取得するモジュール１４２、製品の好みを特定するモジュール１４３、生活プロファイルを特定するモジュール１４４、及び製品情報を提供するモジュール１４５を記憶するように構成されている。他の実施形態では、記憶装置１４０を、電子装置１００が製品情報を検索して提供するためのスキンケア製品データベースを記憶するように構成することもできる。これらのモジュールは、例えば記憶装置１４０に記憶されたコンピュータ・プログラムであり、プロセッサ１２０が本願のスキンケア製品適合方法の機能を実行することができるように、プロセッサ１２０内にロードすることができる。これらのモジュールは、すべてアプリケーション・プログラム（ＡＰＰ：application program）内に統合することができ、または互いに関連付けた上で部分的にＡＰＰ内に含めることができ、あるいは互いに関連付けた上でそれぞれが異なるＡＰＰに属することができる。上記方法のステップを詳細に説明するための実施形態を以下に提供する。
【００３５】
図２は、本発明の一実施形態によるスキンケア製品適合方法を例示するフローチャートである。図１及び２を共に参照すれば、本実施形態の方法は図１に例示する電子装置１００に適用可能であり、本実施形態のスキンケア製品適合方法の詳細なステップを、図１に例示する電子装置１００の各装置を参照しながら以下に説明する。
【００３６】
まず、プロセッサ１２０は肌の関心事を特定するモジュール１４１を実行して、画像捕捉装置１１０を用いることによって現ユーザの肌の画像を捕捉し、肌の画像を分析して肌の関心事を特定する（ステップＳ２０２）。詳細には、本実施形態では、普通の人々にとってのスキンケアの要求を、赤い斑点、ダークスポット、目の下のクマ、治療、保湿、抗ニキビ剤、老化防止、シワ取り、美白、皮脂調整、毛穴引き締め、肌の張り、ムラのある肌の色合い、等のような複数の肌の関心事に細分する。ユーザが電子装置１００を使用する際に常に、電子装置１００は、現在取得されるユーザの肌の画像に応じてユーザの現在の肌の状態を判定し、現在取得される肌の状態に応じて肌の関心事を特定し、肌の関心事は、その後にユーザの現在の肌の状態に適合する製品情報を提供するための基礎と考えられる。
【００３７】
次に、プロセッサ１２０は、肌質を取得するモジュール１４２を実行して現ユーザの肌質を取得する（ステップＳ２０４）。肌質を取得するモジュール１４２は、例えばユーザに質問することによって、あるいは皮膚分析装置（図示せず）で検出することによって、現ユーザの肌質を取得する。肌質は、例えば皮脂型、通常型、乾燥型、複合型、等である。
【００３８】
最後に、プロセッサ１２０は、製品情報を提供するモジュール１４５を実行して、製品データベース内に記憶された複数のスキンケア製品を、少なくとも肌の関心事及び肌質に応じて選別して、現ユーザの肌の状態に適合する製品情報を提供する（ステップＳ２０６）。詳細には、本実施形態では、例えばスキンケア製品データベースを電子装置１００の記憶装置１４０内に確立し、スキンケア製品データベースは、異なるブランド（銘柄）の種々のスキンケア製品を含み、スキンケア製品毎に、適した肌質及び対応する肌の関心事が、当該スキンケア製品の性質に応じて記録されている。他の実施形態では、上記スキンケア製品データベースをクラウド装置内に確立することもでき、電子装置１００によってアクセス可能にして所望の製品情報を取得することができる。
【００３９】
上述した方法によって、ユーザが電子装置１００を使用する際に常に、電子装置１００は、ユーザの肌の関心事及び肌質を取得し、スキンケア製品データベース内のスキンケア製品を選別して、ユーザの現在の肌の状態に最も適した製品情報を提供することができる。
【００４０】
例えば、現ユーザの肌の関心事を保湿として特定し、ユーザの肌質を乾燥型として特定した場合、電子装置は、乾燥肌に適した保湿製品をスキンケア製品データベースから検索して、これらの製品を、使用効果（例えば保湿度）のようなパラメータに応じて選別して、これらの製品を、ユーザがスキンケア製品を選択するに当たり参考にするために、ディスプレイ上に列毎に表示する。
【００４１】
なお、他の実施形態では、本発明は、さらに、肌の関心事及び肌質を、ユーザの製品の好み及び生活プロファイルを含む情報と組み合わせて、ユーザの現在の肌の状態により適合する製品を選択する。詳細な説明のために、一実施形態を以下にさらに提供する。
【００４２】
図３は、本発明の一実施形態によるスキンケア製品適合方法を例示するフローチャートである。図１及び図３を参照すれば、本実施形態の方法は図１に例示する電子装置１００に適用可能であり、本実施形態のスキンケア製品適合方法の詳細なステップを、図１に例示する電子装置１００の各装置を参照しながら以下に説明する。
【００４３】
まず、プロセッサ１２０は肌の関心事を特定するモジュール１４１を実行して、画像捕捉装置１１０を用いることによって現ユーザの肌の画像を捕捉し、肌の画像を分析して肌の関心事を特定する（ステップＳ３０２）。本実施形態では、プロセッサ１２０は、例えば、ユーザが電子装置１００を最初に使用する際に、ユーザの肌の状態を、画像捕捉装置１１０によって捕捉した肌の画像により検出して、ユーザの現在の肌の状態に適した予期される肌の目標を検出結果に応じて設定し、次に、ユーザの現在の肌の状態に適した肌の関心事を、様々な予期される肌の目標用に開発された肌の関心事を特定するプロセスにより特定する。
【００４４】
具体的には、図４は、本発明の一実施形態による、肌の状態を検出する方法を例示するフローチャートである。図１及び図４を共に参照すれば、本実施形態の方法は、ユーザが電子装置１００を初めて使用する際に適用可能である。画像捕捉装置１１０がユーザの肌の画像を捕捉した後に、プロセッサ１２０は、例えば、記憶装置１４０に記憶された肌の状態を検出するモジュール（図示せず）を実行して、肌の画像に対する赤い斑点の比率を計算する（ステップＳ４０２）。上記「赤い斑点」とは、肌の画像中の斑点ブロックであり、ユーザの肌の色に対して相対的に赤く、比較的大きな面積を有し、そして恐らくは肌の画像の各部分に出現する。肌の状態を検出するモジュールは、顔全体の面積に対する赤い斑点の比率を、例えば顔の画像認識技術により計算することができる。
【００４５】
次に、肌の状態を検出するモジュールは、計算した比率を上限値及び下限値と比較して（ステップＳ４０４）、予期される肌の目標のうちの１つを現ユーザの予期される肌の目標として選択する。ここで、上限値は例えば１５〜２５の値であり、下限値は例えば２〜５の値であるが、本発明ではこのことに限定されない。これに加えて、予期される肌の目標は、例えば、健全さ、透明感、張り、肌触り、及び明るさを含む。
【００４６】
計算した赤い斑点の比率が上限値よりも大きい場合、このことを以って、ユーザの赤い斑点の状態が比較的重症であるものと判定して、肌の状態を検出するモジュールは、ディスプレイ上にメッセージを表示するか他の方法によって、医者の診察を受けることを現ユーザに促し（ステップＳ４０６）、ユーザの肌の状態が悪化することを防止するために、いずれのスキンケア製品を使用することもユーザに薦めない。
【００４７】
計算した赤い斑点の比率が上限値と下限値との間であるものと判定した場合、このことを以って、ユーザの赤い斑点の状態が中等症であるものと判定して、肌の状態を検出するモジュールは、例えば健全さを現ユーザの予期される肌の目標として強制的または優先的に選択して（ステップＳ４０８）、ユーザが比較的刺激性のスキンケア製品を使用することを防止することができる。なお、一実施形態では、肌の状態を検出するモジュールが、健全さを現ユーザの予期される肌の目標として強制的に選択し続けることができ、ユーザの赤い斑点の比率が下限値未満になる前に、ユーザは予期される肌の目標を変更することができない。
【００４８】
計算した赤い斑点の比率が下限値未満であるものと判定した場合、このことを以って、ユーザの肌の状態が比較的軽症であるものと判定し、肌の状態を検出するモジュールは、複数の予期される肌の目標の各々について肌の画像の得点を計算することができ（ステップＳ４１０）、そして、最低の得点を有する予期される肌の目標（相対的に強化する必要のある目標を参照する）を現ユーザの予期されるデフォルトの肌の目標として選択する（ステップＳ４１２）。ここで、肌の「健全さ」は、主に赤い斑点の数量及び面積を主たる要因として用いることによって計算することができ；肌の透明感は、顔の斑点（例えば、ダークスポット、赤い斑点、及び赤味）の数量または面積、及び目の下の肌の色が暗い度合いに応じて計算することができ；肌の「張り」は、小ジワの面積及び毛穴の数量と面積に応じて計算することができ；肌の「肌触り」は、小ジワ及びシワの面積、あるいは毛穴の数量と面積に応じて計算することができ、そして肌の「明るさ」は、主に顔の肌色の均一性を主たる要因として用いることによって計算することができる。
【００４９】
なお、ユーザが電子装置１００を初めて使用する際に、肌の状態を検出するモジュールが、予期される肌の目標を、ユーザの最初の肌の状態に応じて設定しても、ユーザはまだ、予期される肌の目標をその後の使用における所望に応じていつでも変更して、ユーザの要求を満たすように予期される肌の目標を設定することができる。肌の目標を検出するモジュールまたはユーザによって設定された予期される肌の目標に基づいて、肌の関心事を特定するモジュール１４１は、様々な予期される肌の目標用に開発されたプロセスにより、ユーザの肌の状態に適した肌の関心事を特定する。詳細な説明用の実施形態を以下に提供する。
【００５０】
図５に、本発明の一実施形態による、予期される肌の目標として健全さが選択された際の、肌の関心事を特定するプロセスを例示する。図５を参照すれば、図４に例示する肌の状態を検出するプロセスと同様に、プロセッサ１２０は、まず肌の状態を検出するモジュールを実行して、肌の画像中の赤い斑点を認識して、肌の画像に対する赤い斑点の比率を計算する（ステップＳ５０２）。上述した肌の状態を検出するモジュールとは異なり、本実施形態では、プロセッサ１２０は、肌の関心事を特定するモジュールを実行して、肌の状態を検出するモジュールによって計算された比率を、事前設定された上限値、事前設定された下限値、及び上限値と下限値との間に事前設定された中央値と比較して、肌の関心事を特定する。
【００５１】
上記赤い斑点の比率が、上限値よりも大きい、または上限値と中央値との間、あるいは中央値と下限値との間であるものと判定した場合、肌の関心事を特定するモジュール１４１は、これらの赤い斑点が痛み及び痒みをユーザに生じさせるか否かをさらに判定する（ステップＳ５０４）。肌の関心事を特定するモジュール１４１は、例えばメッセージを提示することによってユーザに質問して、入力装置１３０を用いることによって提供されるユーザの応答に応じて赤い斑点が痛み及び痒みをユーザに生じさせるか否かを判定する。
【００５２】
赤い斑点が痛み及び痒みを生じさせる場合、肌の関心事を特定するモジュール１４１は、赤い斑点の比率が上限値よりも大きい状態では医者の診察を受けることを現ユーザに促して（ステップＳ５０６）、ユーザの肌の状態が悪化することを防止するために、いずれのスキンケア製品を使用することもユーザに薦めず、赤い斑点の比率が上限値以下であり、かつ中央値以上である状態では、赤い斑点を肌の関心事として特定し（ステップＳ５０８）、赤い斑点の比率が中央値未満であり、かつ下限値以上である状態では、「赤い斑点及び治療」を肌の関心事として判定する（ステップＳ５１０）。
【００５３】
赤い斑点が痛み及び痒みを生じさせない状態、あるいは赤い斑点の比率が下限値未満である状態については、肌の関心事を特定するモジュール１４１は、赤い斑点の数量をさらに計算して（ステップＳ５１２）、その数量を事前設定量と比較する。ここで、事前設定量は例えば５〜１５の値であるが、本発明ではこのことに限定されない。赤い斑点の数量が事前設定量未満である場合、肌の関心事を検出するモジュール１４１は、赤い斑点が痛みを生じさせるか否かをユーザに質問して（ステップＳ５１４）、入力装置１３０を用いることによって提供されるユーザの応答に応じて、赤い斑点が痛みを生じさせるか否かを判定する。赤い斑点が痛みを生じさせる場合、肌の関心事を特定するモジュール１４１は「抗ニキビ剤」を肌の関心事として特定し（ステップＳ５１８）、赤い斑点が痛みを生じさせない場合、肌の関心事を特定するモジュール１４１は「保湿」を肌の関心事として特定する（ステップＳ５２０）。
【００５４】
一方、赤い斑点の数量が事前設定量以上である場合、肌の関心事を特定するモジュール１４１は、赤い斑点が痛み及び痒みを生じさせるか否かをユーザに質問して（ステップＳ５１６）、入力装置１３０を用いることによって提供されるユーザの応答に応じて、赤い斑点が痛み及び痒みを生じさせるか否かを判定する。赤い斑点が痛み及び痒みを生じさせる場合、肌の関心事を判定するモジュール１４１は、まず医者の診察を受けることを現ユーザに促し（ステップＳ５２２）、次に「抗ニキビ剤」を肌の関心事として設定し（ステップＳ５２０）、赤い斑点が痛み及び痒みを生じさせない場合、肌の関心事を判定するモジュール１４１は「抗ニキビ剤」を肌の関心事として特定する（ステップＳ５２０）。
【００５５】
図６に、本発明の一実施形態による、予期される肌の目標として透明感が選択された際の、肌の関心事を特定するプロセスを例示する。図６を参照すれば、プロセッサ１２０は、まず肌の関心事を特定するモジュール１４１を実行して、ダークスポット及び目の下のクマの状態に応じて肌の関心事を特定する。
【００５６】
詳細には、ダークスポットの状態については、肌の関心事を特定するモジュール１４１は、肌の画像中の複数のダークスポットを認識して、肌の画像に対するこれらのダークスポットの比率を計算して（ステップＳ６０２）、この比率を上限値及び下限値と比較する。ここで、上限値は例えば１５〜２５の値であり、下限値は例えば１〜３の値であるが、本発明ではこのことに限定されない。
【００５７】
ダークスポットの比率が上限値よりも大きい場合、肌の関心事を特定するモジュール１４１は、まず医者の診察を受けることを現ユーザに促し（ステップＳ６０６）、次に「ダークスポット及び美白」を肌の関心事として設定し（ステップＳ６０８）、ダークスポットの比率が上限値以下であり、かつ下限値以上である場合、肌の関心事を特定するモジュール１４１は「ダークスポット及び美白」を直接、肌の関心事として特定し（ステップＳ６０８）、ダークスポットの比率が下限値未満である場合、肌の関心事を特定するモジュール１４１は「保湿」を肌の関心事として特定する（ステップＳ６１０）。
【００５８】
一方、目の下のクマの状態については、肌の関心事を特定するモジュール１４１は、肌の画像中の頬のゾーンのグレースケール値と目の下のゾーンのグレースケール値との差が事前設定値以上であるか否かを判定する（ステップＳ６０４）。この事前設定値は例えば２〜５の値であるが、本発明ではこのことに限定されない。
【００５９】
上記グレースケール値の差が事前設定値以上である場合、肌の関心事を特定するモジュール１４１は、まず医者の診察を受けることを現ユーザに促し（ステップＳ６１４）、次に「目の下のクマ」を肌の関心事として特定する（ステップＳ６１２）。上記グレースケール値の差が事前設定値未満である場合、肌の関心事を特定するモジュール１４１は「目の下のクマ」を直接、肌の関心事として特定する（ステップＳ６１２）。
【００６０】
図７に、本発明の一実施形態による、予期される肌の目標として張りが選択された際の、肌の関心事を特定するプロセスを例示する。図７を参照すれば、プロセッサ１２０は、まず肌の関心事を特定するモジュール１４１を実行して、現ユーザの肌質を取得する（ステップＳ７０２）。一実施形態では、肌の関心事を特定するモジュール１４１は、例えば、皮脂型、乾燥型、通常型、及び複合型を含む肌質の選択肢を電子装置１００のディスプレイ上に表示してユーザが選択することを要求し、これにより、ユーザが入力装置１３０を用いて選択した選択肢に応じてユーザの肌質を取得する。他の実施形態では、肌の関心事を特定するモジュール１４１は、皮膚分析装置（図示せず）を用いることによって現ユーザの肌質を検出することもできるが、本発明ではこのことに限定されない。
【００６１】
取得した肌質が皮脂型または複合型である場合、肌の関心事を特定するモジュール１４１は「皮脂調整」を肌の関心事として特定し（ステップＳ７０４）、取得した肌質が乾燥型または通常型である場合、肌の関心事を特定するモジュール１４１は「毛穴引き締め」を肌の関心事として特定する（ステップＳ７０６）。
【００６２】
図８に、本発明の一実施形態による、予期される肌の目標として肌触りが選択された際の、肌の関心事を特定するプロセスを例示する。図８を参照すれば、プロセッサ１２０は、まず肌の関心事を特定するモジュール１４１を実行して、肌の画像中のシワ、小ジワ、及び毛穴を認識して、肌の画像に対するシワ、小ジワ、及び毛穴の総面積の比率を計算してステップＳ８０２）、この比率を上限値及び下限値と比較する。ここで、上限値は例えば１５〜２５の値であり、下限値は例えば２〜５の値であるが、本発明ではこのことに限定されない。なお、シワ、小ジワ、及び毛穴の面積は、例えばシワ、小ジワ、及び毛穴のそれぞれの面積に所定比率（例えば、２５％、２５％、または５０％）を乗じて、これらの積を合計することによって得ることができるが、本発明ではこれらに限定されない。
【００６３】
上記比率が下限値未満である場合、肌の関心事を特定するモジュール１４１は、現ユーザの年齢が事前設定年齢以上であるか否かをさらに判定する（ステップＳ８０４）。例えば、肌の関心事を特定するモジュール１４１は、電子装置１００のディスプレイ上でユーザの年齢が事前設定年齢よりも高いか否かをユーザに質問して、入力装置を用いることによって提供されるユーザの応答に応じて、ユーザの年齢が所定年齢よりも高いか否かを判定する。事前設定年齢は例えば２５〜４０の値であるが、本発明ではこれに限定されない。ユーザの年齢が事前設定年齢以上である場合、肌の関心事を特定するモジュール１４１は「肌の引き締め」を肌の関心事として特定し（ステップＳ８０８）、ユーザの年齢が事前設定年齢未満である場合、肌の関心事を特定するモジュール１４１は「保湿」を肌の関心事として特定する（ステップＳ８１０）。
【００６４】
一方、上記比率が上限値以下であり、かつ下限値以上である場合、肌の関心事を特定するモジュール１４１は、現ユーザが肌の張りを気にしているか否かをさらに判定する（ステップＳ８０６）。肌の関心事を特定するモジュール１４１は、例えば電子装置１００のディスプレイ上にメッセージを表示して、ユーザが肌の張りを気にしているか否かをユーザに質問して、ユーザが入力装置１３０を用いることによって選択した選択肢に応じてユーザが気にしているか否かを確認する。
【００６５】
ユーザが肌の張りを気にしている場合、肌の関心事を特定するモジュール１４１は「肌の引き締め及びシワ取り」を肌の関心事として特定し（ステップＳ８１２）、ユーザが肌の張りを気にしていない場合、肌の関心事を特定するモジュール１４１は「老化防止及びシワ取り」を肌の関心事として特定する（ステップＳ８１４）。
【００６６】
最後に、上記比率が上限値よりも大きい場合、肌の関心事を特定するモジュール１４１は、まず医者の診察を受けることを現ユーザに促して（ステップＳ８１６）、次に「老化防止及びシワ取り」を肌の関心事として設定する（ステップＳ８１４）。
【００６７】
図９に、本発明の一実施形態による、予期される肌の目標として明るさが選択された際の、肌の関心事を特定するプロセスを例示する。図９を参照すれば、プロセッサ１２０は、まず肌の関心事を特定するモジュール１４１を実行して、肌の画像中の左頬ゾーンのグレースケール値と右頬ゾーンのグレースケール値との差が事前設定値以上であるか否かを判定する（ステップＳ９０２）。ここで、事前設定値は例えば４〜８の値であるが、本発明ではこれに限定されない。
【００６８】
上記グレースケール値の差が事前設定値以上である場合、肌の関心事を特定するモジュール１４１は、現ユーザが部分的にムラのある肌の色合いを気にしているか否かをさらに判定する（ステップＳ９０４）。肌の関心事を特定するモジュール１４１は、例えば電子装置１００のディスプレイ上にメッセージを表示して、ユーザがムラのある肌の色合いを気にしているか否かをユーザに質問して、ユーザが入力装置１３０を用いることによって選択した選択肢に応じて、ユーザが気にしているか否かを判定する。
【００６９】
ユーザがムラのある肌の色合いを気にしている場合、肌の関心事を特定するモジュール１４１は「ムラのある肌の色合い」を肌の関心事として特定し（ステップＳ９０６）、ユーザがムラのある肌の色合いを気にしていない場合、肌の関心事を特定するモジュール１４１は「美白」を肌の関心事として特定する（ステップＳ９０８）。
【００７０】
一方、上記グレースケール値間の差が事前設定値未満である場合、肌の関心事を特定するモジュール１４１は「保湿」を直接、肌の関心事として特定する（ステップＳ９１０）。
【００７１】
予期される肌の目標をまず決定し、ユーザに質問するやり方を伴って、様々な予期される肌の目標に応じて肌の関心事を特定する、上述した段階毎に判定する方法によって、ユーザの肌の状態及び要求に最も適した肌の関心事をより正確に取得して、その後に製品情報を提供するための基礎として役立たせることができる。
【００７２】
図３に例示するフローに戻れば、肌の関心事を特定した後に、電子装置１００は肌質を取得するモジュール１４２をプロセッサ１２０によって実行して、現ユーザの肌質を取得する（ステップＳ３０４）。肌質を取得するモジュール１４２は、例えばユーザに質問することによって、あるいは皮膚分析装置を用いることによって現ユーザの肌質を取得するが、本発明ではこのことに限定されない。
【００７３】
なお、上述した実施形態とは異なり、本実施形態では、電子装置１００は、肌の関心事及び肌質に加えて、例えば製品の好み及び生活プロファイルといった情報を取得して、その後に製品情報を提供するための基礎として役立たせる。
【００７４】
詳細には、プロセッサ１２０は製品の好みを特定するモジュール１４３をさらに実行して、現ユーザが複数の製品の好みから選択する操作を受け付けて、現ユーザの製品の好みを特定する（ステップＳ３０６）。製品の好みを特定するモジュール１４３は、例えば電子装置１００のディスプレイ上でユーザの製品の好みについてユーザに質問し、無香料、オイルフリー（油分なし）、アルコールフリー（アルコール分なし）、保存料無添加（４−ヒドロキシ安息香酸）、サルフェートフリー（硫酸塩エステル不使用）、等のような製品の好みの選択肢を表示する。ユーザは、入力装置１３０を用いることによって１つまたは複数の選択肢を選択することができ、選択された製品の好みを、スキンケア製品を選択するに当たりフィルタ（選別）条件として用いて、ユーザの好みを満足する製品を選択する（あるいは、ユーザが好まない製品を除外する）ことができる。
【００７５】
これに加えて、プロセッサ１２０は、生活プロファイルを特定するモジュール１４４も実行し、これによりユーザの生活情報を受けて現ユーザの生活プロファイルを特定することができる（ステップＳ３０８）。詳細には、生活プロファイルを特定するモジュール１４４は、例えば現ユーザの生活習慣に関する複数の選択肢を電子装置１００のディスプレイ上に提供し、選択肢の各々は、複数の肌の関心事のうちの少なくとも１つに対応する。次に、生活プロファイルを特定するモジュール１４４は、現ユーザが入力装置１３０を用いることによって選択肢から選択する操作を受け付けて、現ユーザが自分の生活プロファイルとして選択した選択肢が、肌の関心事の各々に対応する回数を計算する。その後に、製品情報を提供するモジュール１４５がスキンケア製品を選別する際に、肌の関心事の各々に対応する回数を用いて、当該肌の関心事に合ったスキンケア製品に重み付けする。
【００７６】
例えば、以下に提供する表１は、本発明の一実施形態による、ユーザの生活習慣及び対応する肌の関心事の選択肢をリストアップ（一覧表に）したものである。
【００７７】
【表１】
2018160230.tif 000003
【００７８】
ユーザが選択肢２、３及び４を同時に選択した場合、対応する肌の関心事及びその回数は、それぞれ、抗ニキビ剤については３回、目の下のクマについては２回、老化防止については１回、そして美白については１回であり、この情報をユーザの生活プロファイルとして用いて、肌の関心事に合ったスキンケア製品に重み付けして、その後にスキンケア製品を選別する際に、ユーザの生活プロファイルに適した製品情報を取得する。
【００７９】
最後に、プロセッサ１２０は、製品情報を提供するモジュール１４５を実行して、製品データベース内に記憶された複数のスキンケア製品を、肌の関心事、肌質、製品の好み、及び生活プロファイルに応じて選択し選別して、現ユーザの肌の状態に適合する製品情報を提供する（ステップＳ３１０）。具体的に言えば、製品情報を提供するモジュール１４５は、例えば肌の関心事、肌質、製品の好み、及び生活プロファイルを同時に満足する複数のスキンケア製品を、製品データベース内に記憶されたスキンケア製品から第１グループとして選択して、選択した第１グループのスキンケア製品を選別し、肌の関心事、肌質、及び製品の好みだけを満足する複数のスキンケア製品を第２グループとして選択して、選択した第２グループのスキンケア製品を選別し、肌の関心事、肌質、及び生活プロファイルだけを満足する複数のスキンケア製品を第３グループとして選択して、選択した第３グループのスキンケア製品を選別し、肌の関心事及び肌質だけを満足する複数のスキンケア製品を第４グループとして選択して、選択した第４グループのスキンケア製品を選別する。最後に、製品情報を提供するモジュール１４５は、選別したスキンケア製品を、第１グループ、第２グループ、第３グループ、及び第４グループの順に、現ユーザの肌の状態に適合する製品情報として提供する。
【００８０】
手短に言えば、より多数の条件（即ち、上記の肌の関心事、肌質、製品の好み、及び生活プロファイル）を満足するスキンケア製品は、より高度な肌適合レベルを得ることができ、そして推奨製品情報の中で前の方に表示することができる。詳細には、以下に提供する表２は、本発明の一実施形態による、肌適合レベル及びそれに要求される条件をリストアップしたものである。
【００８１】
【表２】
2018160230.tif 000004
【００８２】
高度な肌適合レベルを獲得するためには、上記４つの条件を満足しなければならず、これら４つの条件を満足する製品は第１グループに分類され；肌適合レベルＡ及びＢを獲得するために肌の関心事及び肌質を満足しなければならないだけでなく、製品の好み及びユーザの生活プロファイルもそれぞれ満足しなければならず、製品の好みは生活プロファイルよりも先に選別される。適度な肌適合レベルＡ及びＢを満足するスキンケア製品は第２及び第３グループに分類される。最低限の肌適合レベルに必要な条件はユーザの肌の関心事及び肌質であり、これらの必要な条件を満足するスキンケア製品は第４グループに分類される。この分類に基づいて、製品情報を提供するモジュール１４５は、製品情報を提供する際に、対応するスキンケア製品も、第１、第２、第３、及び第４グループの順に表示する。即ち、最も必要な条件を満足するスキンケア製品を最上位に記憶して、優先的にユーザの参考用に提供する。
【００８３】
例えば、以下の表３は、本発明の一実施形態による、肌適合レベル、それに必要な条件及び分類結果をリストアップしたものである。
【００８４】
【表３】
2018160230.tif 000005
【００８５】
高度な肌適合レベルに対応する選別では、抗ニキビ剤の回数がユーザの生活プロファイルにおける毛穴の回数よりも多いので、スキンケア製品を選別する際に、抗ニキビ剤用の製品も、重み付けされていることにより、毛穴用の製品よりも先に選別される。適度な肌適合レベルに対応する選別では、製品の好み（例えば、オイルフリー）をユーザの生活プロファイル（例えば、抗ニキビ剤、及び毛穴）よりも前に選別し、従って、オイルフリーの性質を有する製品を他の製品よりも前に選別すると共に、他の製品のうちでは、抗ニキビ剤用の製品を毛穴用の製品よりも先に選別する。最低限の肌適合レベルに対応する選別では、残りの製品のうちで、目の下のクマ及び乾燥型に関する条件を満足する製品をリストアップする。
【００８６】
要約すれば、本発明の実施形態によって提供されるスキンケア製品適合方法及び適合用の電子装置では、ユーザの肌の画像を捕捉し分析して、ユーザの現在の肌の状態に適合する予期される肌の目標を特定し、様々な予期される肌の目標を特定するために開発されたプロセスにより肌の関心事を特定する。特定した肌の関心事とユーザから取得した情報（肌質、製品の好み、及び生活プロファイルを含む）とを組み合わせることによって、スキンケア製品データベース内のスキンケア製品をグループ化して選別する。最後に、ユーザの肌の状態に適合する製品情報を、スキンケア製品を選択するための参考としてユーザに提供する。
【００８７】
本発明は以上の実施形態を参照しながら説明してきたが、本発明の範囲から逸脱することなしに、説明した実施形態に変更を加えることができることは、通常の当業者にとって明らかである。従って、本発明の範囲は、以上の詳細な説明ではなく添付した特許請求の範囲によって規定される。
【産業上の利用可能性】
【００８８】
本発明は、一般に肌の検出技術に関するものであり、特にスキンケア製品適合方法及び適合用の電子装置に関するものである。
【符号の説明】
【００８９】
参照符号リスト
１００  電子装置
１１０  画像捕捉装置
１２０  プロセッサ
１３０  入力装置
１４０  記憶装置
１４１  肌の関心事を特定するモジュール
１４２  肌質を取得するモジュール
１４３  製品の好みを特定するモジュール
１４４  生活プロファイルを特定するモジュール
１４５  製品情報を提供するモジュール
Ｓ２０２・Ｓ２０４・Ｓ２０６・Ｓ３０２・Ｓ３０４・Ｓ３０６・Ｓ３０８・Ｓ３１０・Ｓ４０２・Ｓ４０４・Ｓ４０６・Ｓ４０８・Ｓ４１０・Ｓ４１２・Ｓ５０２・Ｓ５０４・Ｓ５０６・Ｓ５０８・Ｓ５１０・Ｓ５１２・Ｓ５１４・Ｓ５１６・Ｓ５１８・Ｓ５２０・Ｓ５２２・Ｓ６０２・Ｓ６０４・Ｓ６０６・Ｓ６０８・Ｓ６１０・Ｓ６１２・Ｓ６１４・Ｓ７０２・Ｓ７０４・Ｓ８０２・Ｓ８０４・Ｓ８０６・Ｓ８０８・Ｓ８１０・Ｓ８１２・Ｓ８１４・Ｓ８１６・Ｓ９０２・Ｓ９０４・Ｓ９０６・Ｓ９０８・Ｓ９１０  スキンケア製品適合方法のステップ
【図１】
2018160230.tif 000006
【図２】
2018160230.tif 000007
【図３】
2018160230.tif 000008
【図４】
2018160230.tif 000009
【図５】
2018160230.tif 000010
【図６】
2018160230.tif 000011
【図７】
2018160230.tif 000012
【図８】
2018160230.tif 000013
【図９】
2018160230.tif 000014
【外国語明細書】
2018160230000001.pdf